(57)【要約】      （修正有）【課題】乳房に快適性と包覆性を与え、並びに適度な構造強度を兼ね備える新規のカップを提供する。【解決手段】カップ１は、外側から内側方向に順に、硬質弾性ジャージーによって織られた外側裏地層１１と、第一スポンジ層１２と、不織布によって織られた弾性繊維綿層１３と、第二スポンジ層１４と、軟質弾性ジャージーによって織られた内側裏地層１５とを含む。前記した五層１１〜１５を相互に貼り合わせて金型を圧してカップ型を形成し、しかも、第一スポンジ層１２と第二スポンジ層１４のそれぞれには、８０ｋｇ／ｍ３以上の密度、４０から１２０のアスカーＦ型（Ａｓｋｅｒ  Ｆ）硬度、１００ｋＰａ以上の泡沫引き裂き強度、１２０％以上の泡沫引き裂き伸び率を備える。【選択図】図１
0003186503.tif 000002
【実用新案登録請求の範囲】
【請求項１】
外側から内側方向に順に、
硬質弾性ジャージーによって織られた外側裏地層と、
第一スポンジ層と、
不織布によって織られた弾性繊維綿層と、
第二スポンジ層と、
軟質弾性ジャージーによって織られた内側裏地層を含むカップにおいて、
前記外側裏地層と第一スポンジ層と弾性繊維綿層と第二スポンジ層と内側裏地層とを相互に貼り合わせて金型を圧してカップ型を形成し、しかも、第一スポンジ層と第二スポンジ層のそれぞれには、８０ｋｇ／ｍ3以上の密度、４０から１２０のアスカーＦ型（Ａｓｋｅｒ  Ｆ）硬度、１００ｋＰａ以上の泡沫引き裂き強度、１２０％以上の泡沫引き裂き伸び率を備えることを特徴とする、
カップ。
【請求項２】
前記第一スポンジ層と第二スポンジ層はそれぞれ、脂肪族イソシアネート（ａｌｉｐｈａｔｉｃ  ｄｉｓｓｏｃｙａｎｔｅ）をポリエーテルポリオール（ｐｏｌｙｅｔｈｅｒ  ｐｏｌｙｏｌ）と反応させ、反応物を取得し、該反応物に水、触媒、シリコン界面活性剤を混合し発泡させる、ステップを含む方法を用いて製作することを特徴とする請求項１に記載のカップ。
【請求項３】
前記脂肪族イソシアネート（ａｌｉｐｈａｔｉｃ  ｄｉｓｓｏｃｙａｎｔｅ）はイソホロンジイソシアネート（ｉｓｏｐｈｏｒｏｎｅ  ｄｉｉｓｏｃｙａｎａｔｅ，ＩＰＤＩ）、メチレンビス（４−シクロヘキシルイソシアネート）（ｍｅｔｈｙｌｅｎｅ−ｂｉｓ（４−ｃｙｃｌｏｈｅｘｙｌｉｓｏｃｙａｎａｔｅ），ＨＤＭＩ）、ヘキサメチレンジイソシアネート（ｈｅｘａｍｅｔｈｙｌｅｎｅ  ｄｉｉｓｏｃｙａｎａｔｅ，ＨＤＩ）の何れかとすることを特徴とする請求項２に記載のカップ。
【請求項４】
前記ポリエーテルポリオール（ｐｏｌｙｅｔｈｅｒ  ｐｏｌｙｏｌ）の分子量は２，０００乃至２０，０００であることを特徴とする請求項２に記載のカップ。
【請求項５】
前記触媒はｔｅｒｔ−ブチルアミン（ｔｅｒｔ−ｂｕｔｙｌａｍｉｎｅ）であることを特徴とする請求項２に記載のカップ。
【請求項６】
前記シリコン界面活性剤はポリジメチルシロキサン（ｐｏｌｙ（ｄｉｍｅｔｈｙｌｓｉｌｏｘａｎｅ），ＰＭＤＳ）とポリエーテルポリオールの共重合体であることを特徴とする請求項２に記載のカップ。
【考案の詳細な説明】
【技術分野】
【０００１】
本考案は、女性の下着構造に関し、特にカップに係る。
【背景技術】
【０００２】
カップは女性の下着の主な要素の一つである。カップは女性が下着を身につけた時にその乳房を覆うものであり、これによって、乳房の露出を防ぎ、乳房を集中させ、高さを保たせ、女性のボディを維持させることができる。
【考案の概要】
【考案が解決しようとする課題】
【０００３】
現在、市場で見られるカップは、乳房の快適性と包覆性が主に求められる。しかし、市場で見られるカップはそれ自体の構造強度が見落とされ、カップを含む下着を身につける時にカップが下着の肩紐に引っ張られて変形を起こしたり、カップを含む下着を洗う時にカップの選択過程で揉み洗いや脱水等で引っ張られて変形を起こすこともある。尚、カップの変形によって女性が下着を身に着ける時に下着の外観の美観が失われることもある。
【０００４】
そこで、上述の欠点を克服するために、本技術分野の関連者達によって、乳房に快適性と包覆性を与えるだけでなく、本体自身にさらに適度な構造強度を備え、外力によって引っ張られることによる変形を起こし難い新規なカップの設計が積極的に提案されている。
【課題を解決するための手段】
【０００５】
本考案の目的は、該カップによって乳房に快適性と包覆性を与え、並びに適度な構造強度を兼ね備える新規のカップを提供することにある。
【０００６】
上述及び／或いはその他の目的を実現するために、本考案は改善したカップ構造を提供する。それは外側から内側方向に順に、硬質弾性ジャージーによって織られた外側裏地層と、第一スポンジ層と、不織布によって織られた弾性繊維綿層と、第二スポンジ層と、軟質弾性ジャージーによって織られた内側裏地層とを含む。
これらの層は相互に貼り合わせられて金型で圧してカップ型を形成する。しかも、第一スポンジ層と第二スポンジ層それぞれには、８０ｋｇ／ｍ3以上の密度、４０から１２０のアスカーＦ型（Ａｓｋｅｒ  Ｆ）硬度、１００ｋＰａ以上の泡沫引き裂き強度、１２０％以上の泡沫引き裂き伸び率を備える。
【考案の効果】
【０００７】
本考案のカップによれば、第一スポンジ層と第二スポンジ層はそれぞれ、前述の数値範囲内の物理特徴があるため、該カップ全体には充分な構造軟度及び硬度が備えられる。言い換えれば、該カップは乳房に快適性と包覆性を与え、さらに適度な構造強度を備えるため、外力によって引っ張られることによる変形を起こし難いという効果を有する。
【図面の簡単な説明】
【０００８】
【図１】本考案の実施例のカップの一部断面図である。
【図２】図１のカップの分解図である。
【図３】図１のカップの断面図である。
【図４】図１のカップの金型を圧した後の断面図である。
【図５】図１のカップの使用状態を示す図である。
【図６】図１のカップの第一スポンジ層或いは第二スポンジ層の製造の流れを示す図である。
【考案を実施するための形態】
【０００９】
本考案の上述及び／或いはその他目的、効果、特徴をさらに明らかに理解し易くするために、以下に、特に好ましい実施例に添付の図面を組み合わせて、詳細な説明を行なう。
【実施例】
【００１０】
図１から図３に示した本考案の好ましい実施例のカップ１において、そのうち、カップ１は外側から内側方向に、外側裏地層１１と第一スポンジ層１２と弾性繊維綿層１３と第二スポンジ層１４と内側裏地層１５とを含む。
【００１１】
前記外側裏地層１１は硬質弾性ジャージーで織られたものである。前記第一スポンジ層１２は８０ｋｇ／ｍ3以上の密度、４０から１２０のアスカーＦ型（Ａｓｋｅｒ  Ｆ）の硬度、１００ｋＰａ以上の泡沫引き裂き強度、１２０％以上の泡沫引き裂き伸び率を備える。前記弾性繊維綿層１３は不織布で織られたものである。前記第二スポンジ層１４は、８０ｋｇ／ｍ3以上の密度、４０から１２０のアスカーＦ型（Ａｓｋｅｒ  Ｆ）硬度、１００ｋＰａ以上の泡沫引き裂き強度、１２０％以上の泡沫引き裂き伸び率を備える。前記内側裏地層１５は軟質弾性ジャージーで織られたものである。
図４に示すとおり、外側裏地層１１、第一スポンジ層１２、弾性繊維綿層１３、第二スポンジ層１４、及び内側裏地層１５は相互に貼り合わせ、金型を圧してカップ型を形成する。
【００１２】
図５に示すとおり、女性が該カップ１を含む下着を着用した時、カップ型を用いて自身の乳房を包覆し、並びに、内側裏地層１５が乳房の肌に接触する。
【００１３】
図６に示すとおり、第一スポンジ層１２或いは第二スポンジ層１４は下記の方法を用いて製作する。
【００１４】
まず、脂肪族イソシアネート（ａｌｉｐｈａｔｉｃ  ｄｉｓｓｏｃｙａｎｔｅ）をポリエーテルポリオール（ｐｏｌｙｅｔｈｅｒ  ｐｏｌｙｏｌ）と反応させ、反応物を得る。
好ましい本実施例において、脂肪族イソシアネートは、イソホロンジイソシアネート（ｉｓｏｐｈｏｒｏｎｅ  ｄｉｉｓｏｃｙａｎａｔｅ，ＩＰＤＩ）、メチレンビス（４−シクロヘキシルイソシアネート）（ｍｅｔｈｙｌｅｎｅ−ｂｉｓ（４−ｃｙｃｌｏｈｅｘｙｌｉｓｏｃｙａｎａｔｅ），ＨＤＭＩ）、ヘキサメチレンジイソシアネート（ｈｅｘａｍｅｔｈｙｌｅｎｅ  ｄｉｉｓｏｃｙａｎａｔｅ，ＨＤＩ）の何れかとするが、それに制限されないものとし、また、ポリエーテルポリオールの分子量は２，０００乃至２０，０００とするが、それに制限されないものとする。
【００１５】
続いて、前述で得られた反応物に水、触媒、シリコン界面活性剤を混合し発泡させ、第一スポンジ層１２或いは第二スポンジ層１４を製作する。
好ましい本実施例において、該触媒はｔｅｒｔ−ブチルアミン（ｔｅｒｔ−ｂｕｔｙｌａｍｉｎｅ）とするが、これに制限されないものとし、シリコン界面活性剤はポリジメチルシロキサン（ｐｏｌｙ（ｄｉｍｅｔｈｙｌｓｉｌｏｘａｎｅ）、ＰＭＤＳ）とポリエーテルポリオールの共重合体とするが、これに制限されないものとする。
【００１６】
特に提起する点であるが、上述の方法中の反応ステップ及び混合、発泡ステップで必要な反応物の比率、温度、時間等の関連条件は、第一スポンジ層１２或いは第二スポンジ層１４に必要な物理特性に基づいて本技術分野の熟知者によって調整できるため、上述の関連条件の説明はここでは省く。
【００１７】
上述の説明の通り、好ましい実施例のカップ１がもたらす特性は次のとおりである。
【００１８】
（１）本実施例のカップ１の第一スポンジ層１２及び第二スポンジ層１４は前記数値範囲内の密度、アスカーＦ型（Ａｓｋｅｒ  Ｆ）硬度、泡沫引き裂き強度、泡沫引き裂き伸び率等の物理特性を有するため、カップ１全体構造に充分な軟度及び硬度を備える。即ち、該カップ１で女性の乳房を包み込む時、カップ１は乳房に快適性と包覆性を提供し、尚且つ該カップ１は下着の肩紐に引っ張られたり洗濯過程で引っ張られる等の外力による変形を起こし難い。
【００１９】
（２）本実施例のカップ１の第一スポンジ層１２及び第二スポンジ層１４の製造方法では安息香酸（ｂｅｎｚｏｉｃ  ａｃｉｄ）を使用していないため、第一スポンジ層１２及び第二スポンジ層１４は長時間経過しても酸化による黄ばみを起こし難い。
【００２０】
但し、以上に述べたものは、単に本考案の好ましい実施例であるだけで、これによって本考案の実施範囲に制約を加えるものではない。よって、本考案の実用新案登録請求の範囲及び明細書の内容に基づいて行なわれる同等効果を有する簡単な変化及び修飾は全て、実用新案登録請求の範囲内に包含されるものとする。
【符号の説明】
【００２１】
１    カップ
１１  外側裏地層
１２  第一スポンジ層
１３  弾性繊維綿層
１４  第二スポンジ層
１５  内側裏地層
【図１】
0003186503.tif 000003
【図２】
0003186503.tif 000004
【図３】
0003186503.tif 000005
【図４】
0003186503.tif 000006
【図５】
0003186503.tif 000007
【図６】
0003186503.tif 000008